(57)【要約】【課題】屋根材に積雪などによる荷重がかかっても、屋根材に取付具を強固に取付けられる取付具の固定構造を提供する。【解決手段】屋根材３の上に取付けられる設備部材Ｐを取付固定するための取付具１の固定構造であって、前記屋根材は、垂木５に野地板４を取付けた上に設けられ、前記取付具を前記屋根材の上に取付固定する固定ねじ２を該固定ねじの先側が天井裏側４ａから突き出るように螺入し、突き出た前記固定ねじのねじ部２ａに、前記天井裏側から補強部材６を取付ける構造にするとともに、前記前記補強部材の高さは前記垂木の高さと略同一とし、前記補強部材の両側に位置する前記垂木の下面には、該下面に跨るように補強板７が設けられ、該補強板で前記補強部材の下面を下方より支持する構造としていることを特徴とする。【選択図】図１
2010144440.tif 000002
【特許請求の範囲】
【請求項１】
屋根材の上に取付けられる設備部材を取付固定するための取付具の固定構造であって、
前記屋根材は、垂木に野地板を取付けた上に設けられ、前記取付具を前記屋根材の上に取付固定する固定ねじを該固定ねじの先側が天井裏側から突き出るように螺入し、突き出た前記固定ねじのねじ部に、前記天井裏側から補強部材を取付けるとともに、
前記前記補強部材の高さは前記垂木の高さと略同一とし、
前記補強部材の両側に位置する前記垂木の下面には、該下面に跨るように補強板が設けられ、該補強板で前記補強部材の下面を下方より支持する構造としていることを特徴とする取付具の固定構造。
【請求項２】
屋根材の上に取付けられる設備部材を取付固定するための取付具の固定構造であって、
前記屋根材は野地板を取付けた上に設けられ、前記取付具を前記屋根材の上に取付固定する固定ねじを該固定ねじの先側が天井裏側から突き出るように螺入し、突き出た前記固定ねじのねじ部に、前記天井裏側から補強部材を取付けるとともに、
前記補強部材の下面には、前記補強部材の高さと略同一の高さで且つ前記野地板の裏面に当接する取付足を備えた補強板が設けられ、該補強板で前記補強部材の下面を下方より支持する構造としていることを特徴とする取付具の固定構造。
【請求項３】
請求項１又は請求項２において、
前記補強部材は前記固定ねじの径より小さい貫通孔が形成された柱形状からなることを特徴とする取付具の固定構造。
【請求項４】
請求項１〜請求項３のいずれか１項において、
前記設備部材を太陽電池パネルとすることを特徴とする取付具の固定構造。
【発明の詳細な説明】
【技術分野】
【０００１】
本発明は、屋根材の上に取付けられる太陽電池パネルなどの設備部材を取付固定するための取付具の固定構造に関する。
【背景技術】
【０００２】
従来より、屋根材の上に取付けられる太陽電池パネルなどの設備部材を取付固定する固定構造としては、下記特許文献１が挙げられる。
下記特許文献１には取付具を固定する支持ボルトを屋根材及び野地板に貫通させ、支持ボルトの先端側螺子部を固定ナットで締め付け固定する構造が記載されている。
これによれば、固定ナットで固定されている限り、支持ボルトが屋外側へ抜けてしまうことを防止でき、太陽電池パネルが屋根から脱落することが防止できるとされている。
しかしながら、この場合は支持ボルトの固定保持力を強めることはできても、例えば積雪などにより屋根に荷重がかかった場合に垂木間の野地板が撓んでしまうため、設備部材を取付具によって屋根材に取付けられないという問題があった。
【０００３】
図５（ａ）及び図５（ｂ）は、従来の取付具の固定構造の問題点を示した要部断面図の一例である。図５（ａ）は通常時の取付具の取付状態、図５（ｂ）は積雪時など矢印Ｄ方向に荷重がかかった場合の取付具の取付状態を示している。
図中、１００は太陽電池パネルなど設備部材（不図示）を取付固定するための取付具、１００ａはねじ挿通孔、２００は固定ねじ、３００は屋根材、４００は野地板、５００は垂木、６００は取付孔である。
図５（ａ）に示す取付具１００の固定構造は、屋根材３００の所定位置に電動穴あけ工具などで取付孔６００を形成しておき、その後、取付具１００を配置して固定ねじ２００をねじ挿通孔１００ａを通じて屋根材３００及び野地板４００にねじ込んで固定した構造としたものである。
図５（ａ）に示すように屋根材３００に荷重がかからない場合は、このような固定構造で十分であるが、冬場は雪が積もる地域においては、屋根材３００の上に雪が積もると図５（ｂ）に示すように矢印Ｄ方向に荷重がかかり、垂木５００間の野地板４００が撓んでしまう影響を受け、取付具１００から設備部材（不図示）が外れたり、設備部材が破損するおそれが生じる。
【特許文献１】特開平１１−２００５号公報
【発明の開示】
【発明が解決しようとする課題】
【０００４】
そこで上述のような荷重を受けても野地板４００が撓むことなく、設備部材を取付固定する取付具１００を強固に固定できる構造が求められている。
取付具１００を屋根材３００に強固に取付ける方法としては、垂木５００の配設位置に固定ねじ２００がねじ込まれるように取付具１００を設ける方法が考えられる。
しかしながら、垂木５００は屋根材３００側からはどこに配設されているかわかりにくいため、取付具１００の取付作業がし辛い。またこの方法では取付具１００の取付位置が制約されるため、設備部材の取付位置もおのずと制約される点も問題となる。特に取付具１００が太陽光を用いて発電を行う太陽電池パネルを取付けるものとして用いられる場合は、垂木５００の配設位置に捉われず日当たりのよい場所に取付けたいという要望に応えることができない。
更に上述の方法は、垂木５００のない屋根構造には採用できない点も問題となる。
【０００５】
本発明は、上記実情に鑑みなされたものであり、積雪などによる荷重がかかっても、屋根材に取付具を強固に取付けられる取付具の固定構造を提供する。
【課題を解決するための手段】
【０００６】
前記課題を解決するために、本発明に係る取付具の固定構造は、屋根材の上に取付けられる設備部材を取付固定するための取付具の固定構造であって、前記屋根材は、垂木に野地板を取付けた上に設けられ、前記取付具を前記屋根材の上に取付固定する固定ねじを該固定ねじの先側が天井裏側から突き出るように螺入し、突き出た前記固定ねじのねじ部に、前記天井裏側から補強部材を取付けるとともに、前記前記補強部材の高さは前記垂木の高さと略同一とし、前記補強部材の両側に位置する前記垂木の下面には、該下面に跨るように補強板が設けられ、該補強板で前記補強部材の下面を下方より支持する構造としていることを特徴とする。
【０００７】
また本発明に係る取付具の取付構造は、屋根材の上に取付けられる設備部材を取付固定するための取付具の固定構造であって、前記屋根材は野地板を取付けた上に設けられ、前記取付具を前記屋根材の上に取付固定する固定ねじを該固定ねじの先側が天井裏側から突き出るように螺入し、突き出た前記固定ねじのねじ部に、前記天井裏側から補強部材を取付けるとともに、前記補強部材の下面には、前記補強部材の高さと略同一の高さで且つ前記野地板の裏面に当接する取付足を備えた補強板が設けられ、該補強板で前記補強部材の下面を下方より支持する構造としていることを特徴とする。
【０００８】
本発明において、前記補強部材は、前記固定ねじの径より小さい貫通孔が形成された柱形状からなるものとしてもよい。
これによれば、柱形状の補強部材には貫通孔が形成されているので、固定ねじの先側が貫通孔に誘導され、スムーズに補強部材を螺入していくことができる。また補強部材には固定ねじの径より小さい貫通孔が形成されているので、補強部材と螺入される固定ねじの先側との間に強い締結力が生じ、取付強度を確保することができる。
【０００９】
また本発明において、設備部材を太陽電池パネルとしてもよい。
これによれば太陽電池パネルを取付固定するための取付具を強固に屋根材に取付けることができる。よって積雪などにより荷重を受けても野地板が撓むことなく、冬場であっても太陽電池パネルを設置しておくことができる。
【発明の効果】
【００１０】
本発明に係る取付具の取付構造によれば、取付具を固定する固定ねじのねじ部に天井裏側（屋内側）から補強部材が取付けられているので、固定ねじによる固定保持力が強まり、太陽電池パネルなどの設備部材を取付固定するための取付具を屋根材に対して強固に取付ることができる。すなわち屋根材及び野地板が固定ねじのねじ頭と補強部材とで強固に挟まれた状態となり、補強部材が外れない限り、固定ねじが屋外側へ抜けて脱落してしまうことがない。また垂木を狙って固定ねじをねじ込む必要がないので、屋外側から確認しにくい垂木の配設位置を気にせず、取付施工が容易である。
【００１１】
垂木に野地板を取付けた上に設けられた屋根材に取付けられる取付具の場合は、補強部材の高さは前記垂木の高さを略同一とし、取付具を固定する固定ねじを保持する補強部材の下面が下方より補強板によって支持されている構造とすることができる。これによれば、屋根材に積雪など荷重がかかっても、野地板がその荷重で撓むことなく屋根材の上に取付られる設備部材の取付状態を良好に維持することができる。
【００１２】
垂木を備えていない屋根材に取付けられる取付具の場合は、補強部材の下面には、前記補強部材の高さと略同一の高さで且つ前記野地板の裏面に当接する取付足を備えた補強板が設けられ、該補強板で前記補強部材の下面を下方より支持する構造とすることができる。この場合も垂木の代わりに取付足が補強板に設けられているので、補強部材の下面を補強板によって下方より支持することにより野地板の撓みを抑え、上述の場合と同様に屋根材の上に取付られる設備部材の取付状態を良好に維持することができる。
【発明を実施するための最良の形態】
【００１３】
以下に、本発明の実施の形態について、図面を参照しながら説明する。
図１は本発明の第１の実施形態に係る取付具の固定構造を説明するための斜視図、図２（ａ）、（ｂ）は同取付具の固定構造における補強部材の取付要領を示した要部断面図、図３（ａ）（ｂ）は同取付具の固定構造における補強板の取付要領を示した要部断面図、図４は本発明の第２の実施形態に係る取付具の固定構造における補強板の取付要領を示した要部断面図である。ここでは設備部材を太陽の光を電気エネルギーに変換し発電を行う太陽電池パネルＰとした場合について説明する。
【００１４】
（第１の実施形態）
図１〜図３を参照しながら本発明の第１の実施形態に係る取付具の固定構造について説明する。
図１に示す屋根構造は、垂木５に野地板４を敷設した上に屋根材３が上下多段に葺き重ねられた構造としており、屋根材３としては、スレート瓦を用いた例を示している。屋根材３はスレート瓦に限定されずセメント、粘土、樹脂、陶器などからなる瓦としてもよい。また図１では防水シートを図示していないが、屋根材３と野地板４の間に防水シートが設けられたものとしてもよく、屋根材３は野地板４の上に釘（不図示）で固定されている。
【００１５】
太陽電池パネルＰは薄型の板状体からなり、その四周はアルミ製などからなる枠材で囲われている。枠材の内側には多数の太陽電池セルが設けられている。  図１では太陽電池パネルＰが一枚取付けられる例を示しているが、同じ取付要領で複数枚を並べて設置することができる。
取付具１は金属材或いは硬質の樹脂材などからなる長方形の厚みのあるプレート体であり、取付具本体１０と取付具本体１０の長手方向の両端部には取付片１１とを備えている。取付片１１には取付具１を屋根材３に固着するための固定ねじ２が挿通されるねじ挿通孔１ａが形成されている。ここではねじ挿通孔１ａが２箇所形成され、ひとつの取付具１に対して２つの固定ねじ２で固着される例を示しているが、これに限定されるものではない。取付具１を屋根材３に固定する固定ねじ２は、屋根材３に螺入された際に固定ねじ２の先側に形成されたねじ部２ａが天井裏面４ａから突き出る長さを備えている。
太陽電池パネルＰは屋根材３の上に取付けられた取付具１によって固着一体とされており、その固着方法は特に限定されるものではないが、例えば取付具１に形成された凹部（不図示）内にナット付きの連結ボルトを嵌め込み、太陽電池パネルＰをその連結ボルトで連結することにより固着一体するものとしてもよい。
またここでは図示していないが、取付具１と屋根材３の間にカバー板金を設けられば、取付具１を取付ける際の屋根材３の割れを防いだり、水の浸入などを防ぐようにすることもできる。
【００１６】
次に図２（ａ）（ｂ）及び図３（ａ）（ｂ）を参照しながら取付具の固定構造について説明する。
取付具１は固定ねじ２によって屋根材３に取付けられ、この固定ねじ２を屋根材３及び野地板４に貫通させ、固定ねじ２の先側が天井裏側４ａから突き出るように螺入する。天井裏側４ａから突き出た固定ねじ２のねじ部２ａには天井裏側４ａ（屋内側）から補強部材６が取付けられる。
補強部材６は固定ねじ２の径より小さい貫通孔６ａが形成された六角柱形状をなし、その材質は木材、集積木材、樹脂材からなるものとすることができる。補強部材６の高さ（厚み）は垂木５の高さと略同一に形成される（図３（ａ）の一点鎖線Ｌ参照）。
なお、補強部材６の形状は六角柱形状のような角柱の他、円柱形状としてもよいが、後記するように六角柱形状とすればスパナなどを使って固定ねじ２の先側に対して補強部材６を強固に取付けることができる。また補強部材６の下面に六角レンチと嵌合可能な凹所を形成し、取付ける構造としてもよい。
【００１７】
垂木５及び補強部材６の下面には、補強部材６を野地板４と補強板７とで挟持するように補強板７が取付けられる。補強板７は図３（ａ）に示すように長手方向の端部が折曲形成された金属材などからなる薄状板体で形成されたものの他、硬質の樹脂材からなるものとすることができる。補強板７は、補強部材６の下面を該補強板７で下方より支持するように補強板固定ねじ８によって取付固定される。補強板７には補強板固定ねじ８が挿通されるねじ挿通孔７ａが形成されており、補強板固定ねじ８は屋内側から垂木５を狙って垂木５にねじ込まれる。図例のものは３本の垂木５に跨って取付けられる補強板７を示しているが（図１参照）、補強板７の大きさ及び構成は、これに限定されるものではなく、取付具１によって取付けられる太陽電池パネルＰの大きさ或いは設置される枚数に応じて設定される。
【００１８】
（取付手順）
次に取付具１の取付手順について説明する。
まず屋根材３の上に設置される太陽電池パネルＰの大きさなどに合わせて取付具１の取付位置を決める。電動穴あけ工具などを用いて固定ねじ２がねじ込まれる位置にねじ孔を形成しておく。取付具１のねじ挿通孔１ａと屋根材３に形成されたねじ孔とが通じるように取付具１の位置合わせを行い、電動ドライバーなどを用いて固定ねじ２をねじ挿通孔１ａを通じて屋根材３にねじ込んでいく。このとき固定ねじ２のねじ頭が取付片１１の上面に当接するまでしっかりと螺入すれば、固定ねじ２は屋根材３とその下に敷設されている野地板４を貫ぬき、固定ねじ２の先側に形成されたねじ部２ａが天井裏面４ａから突き出た状態となる（図２（ａ）参照）。
【００１９】
次に補強部材６の貫通孔６ａに固定ねじ２のねじ部２ａを螺入し、補強部材６を固定ねじ２の天井裏面４ａから突き出たねじ部２ａに取付ける（図２（ｂ）参照）。このとき補強部材６は六角柱形状からなるので、スパナなどを使って補強部材６を締結していくと固定ねじ２に対して補強部材６を強固に取付けることができる。
このように屋根材３及び野地板４が固定ねじ２のねじ頭と補強部材６とで強固に挟まれた状態となるので、補強部材６が外れない限り固定ねじ２が屋外側へ抜けて脱落してしまうことがない。
また補強部材６には固定ねじ２の径より小さい貫通孔６ａが形成されているので、固定ねじ２の先側のねじ部２ａに補強部材６を螺入していくと強い締付力が生じ、強い取付強度を確保できる。更にこのように垂木５を狙って固定ねじ２をねじ込まなくても強固に取付具１を取付けることができる。
【００２０】
そして補強部材６の両側に位置する垂木５の下面には、下面に跨るように補強板７を配設する（図３（ａ）参照）。補強板７のねじ挿通孔７ａが形成されている位置を垂木５の下面に合わせ、電動ドライバーなどを用いて補強板固定ねじ８を垂木５にねじ込んでいき、垂木５間に架設された補強板７によって補強部材６の下面を下方より支持するように取付ける（図３（ｂ）参照）。
こうして取付具１を屋根材３に取付けることができる。
これによれば、屋根材３に積雪など荷重がかかっても、野地板４が撓むことがなく、耐荷重性に乏しい野地板４が構成された屋根構造であっても、屋根材３の上に取付られる太陽電池パネルＰの取付状態を良好に維持することができる。
【００２１】
（第２の実施形態）
続いて図４を参照しながら本発明の第２の実施形態に係る取付具の固定構造について説明する。
上述した第１の実施形態と共通する部分には共通の符号を付し、その説明は省略する。
図４に示す第２の実施形態は第１の実施形態とは屋根構造において垂木５を備えていない点で異なり、このため補強板７に取付足９が設けられている点で異なる例である。
よって取付具１を固定する固定ねじ２の取付手順や構成、そして固定ねじ２のねじ部２ａに取付けられる補強部材６の取付手順や構成は第１の実施形態と同様である（図４（ａ）参照）。
【００２２】
第２の実施形態における補強板７には、垂木５の代わりとなる取付足９が、補強板７を取付けた際に補強部材６の両側に配設されるよう設けられており、取付足９の高さは補強部材６の高さと略同一に形成される。
補強板７は取付足９を貫通して野地板４に至る補強板固定ねじ８で取付けられるため、補強板固定ねじ８が螺入される位置にはねじ挿通孔（不図示）が形成されている。補強板７は第１の実施形態と同様に金属材或いは硬質の樹脂材などからなるものとすることができ、取付足９は硬質の樹脂材或いは補強部材６と同じく木材、集積木材、樹脂材からなるものとすることができる。補強板７と取付足９とが同じ樹脂材からなるものとすれば一体成型することができる。またそれぞれが別体に形成される場合は接着剤などで固着一体とすれば、取付施工性のよいものとすることができる。
なお、ここでは補強板７と取付足９とが一体となっている例について説明するが、補強板７と取付足９とは必ずしも一体に構成される必要はなく、取付足９を野地板４にねじなどで固着した後、補強板７を補強板固定ねじ８で固着するようにしてもよく、補強板７で強固に補強部材６の下面を下方から支持することができる構成となればよい。
【００２３】
（取付手順）
次に取付具１の取付手順について説明する。
上述したように固定ねじ２及び補強部材６の取付手順は、第１の実施形態と同様であるので説明を省略する。
固定ねじ２のねじ部２ａに補強部材６を取付けた後、補強部材６の下面に、下面に跨るように取付足９を備えた補強板７を配設する（図３（ａ）参照）。このとき、野地板４の天井裏側４ａの補強板固定ねじ８がねじ込まれる位置や取付足に予め電動穴あけ工具などを用いて仮穴を形成しておいてもよい。
補強板７を下方から補強部材６の下面に跨るように設けられるよう位置合わせを行い、電動ドライバーなどを用いて補強板固定ねじ８を取付足９を貫通して野地板４に至るようねじ込んでいき、補強板７で補強部材６の下面を下方より支持するように取付ける（図４（ｂ）参照）。
こうして取付具１を屋根材３に取付けることができる。
これによれば、垂木５がない屋根材３に積雪など荷重がかかっても、取付足９を備えた補強板７によって補強部材９の下面を下方から支持することができるので、第１の実施形態と同様に野地板４が荷重で撓むことがなく、耐荷重性に乏しい野地板４が構成された屋根構造であっても、屋根材３の上に取付られる太陽電池パネルＰの取付状態を良好に維持することができる。
【００２４】
なお、ここでは屋根に取付けられる設備部材を太陽電池パネルＰとした例について説明したが、これに限定されるものではない。また取付具１、補強部材６、補強板７などの形状及び構成も図例に限定されるものではない。更に上述で説明した取付手順はあくまで一例にすぎず、限定されるものではない。
【図面の簡単な説明】
【００２５】
【図１】本発明の第１の実施形態に係る取付具の固定構造を説明するための斜視図である。
【図２】（ａ）、（ｂ）は同取付具の固定構造における補強部材の取付要領を示した要部断面図である。
【図３】（ａ）（ｂ）は同取付具の固定構造における補強板の取付要領を示した要部断面図である。
【図４】は本発明の第２の実施形態に係る取付具の固定構造における補強板の取付要領を示した要部断面図である。
【図５】（ａ）（ｂ）は従来の取付具の固定構造の問題点を示した要部断面図の一例である。
【符号の説明】
【００２６】
Ｐ      設備部材（太陽電池パネル）
１      取付具
２      固定ねじ
２ａ    ねじ部
３      屋根材
４      野地板
４ａ    天井裏側
５      垂木
６      補強部材
７      補強板
９      取付足
【図１】
2010144440.tif 000003
【図２】
2010144440.tif 000004
【図３】
2010144440.tif 000005
【図４】
2010144440.tif 000006
【図５】
2010144440.tif 000007